(57)【要約】【課題】反射部材より物体側に配置されたレンズ群も光軸方向に移動可能に構成された屈曲光学系を内包したレンズ鏡胴であっても、簡便な機構で、非撮影時には薄型コンパクトとなるレンズ鏡胴を得る。【解決手段】反射部材より像面側に配置され、撮影時に移動させられるレンズ群鏡枠と、該レンズ群鏡枠が撮影時の移動領域を越えて移動する際に係合する係合部材と、反射部材より像面側に配置され、撮影時に移動させないレンズ群鏡枠と、を有し、撮影状態から非撮影状態への変化において、反射部材より像面側に配置され、撮影時に移動させられるレンズ群鏡枠が撮影時の移動領域を越えて移動させられる際に係合部材を回動させることにより撮影時に移動させないレンズ群及び反射部材を移動させ、反射部材より物体側のレンズ群を収納するレンズ鏡胴とする。【選択図】図３
2009169243.tif 000002
【特許請求の範囲】
【請求項１】
複数のレンズ群と、該レンズ群を保持するレンズ群鏡枠と、前記レンズ群の間に配置され光軸を折り曲げる反射部材と、を有するレンズ鏡胴であって、
前記反射部材より像面側に配置され、撮影時に移動させられるレンズ群鏡枠と、
該レンズ群鏡枠が撮影時の移動領域を越えて移動する際に係合する係合部材と、
前記反射部材より像面側に配置され、撮影時に移動させないレンズ群鏡枠と、を有し、
撮影状態から非撮影状態への変化において、
前記反射部材より像面側に配置され、撮影時に移動させられるレンズ群鏡枠が撮影時の移動領域を越えて移動させられる際に前記係合部材を回動させることにより撮影時に移動させないレンズ群及び前記反射部材を移動させ、前記反射部材より物体側のレンズ群を収納することを特徴とするレンズ鏡胴。
【請求項２】
前記反射部材と撮影時に移動させないレンズ群を、共に撮像素子に近づく方向へ移動させることを特徴とする請求項１に記載のレンズ鏡胴。
【請求項３】
前記反射部材を前記撮像素子から遠ざかる方向へ移動させ、撮影時に移動させないレンズ群を撮像素子に近づく方向へ移動させることを特徴とする請求項１に記載のレンズ鏡胴。
【請求項４】
複数のレンズ群と、該レンズ群を保持するレンズ群鏡枠と、前記レンズ群の間に配置され光軸を折り曲げる反射部材と、を有するレンズ鏡胴であって、
前記反射部材より像面側に配置され、撮影時に移動させられるレンズ群鏡枠と、
前記反射部材より像面側に配置され、撮影時に移動させないレンズ群鏡枠と、を有し、
撮影状態から非撮影状態への変化において、
前記反射部材より像面側に配置され、撮影時に移動させられるレンズ群鏡枠が、撮影時の移動領域を越えて移動させられる際に、該レンズ群鏡枠の一部が撮影時に移動させないレンズ群鏡枠の一部と係合し、撮影時に移動させないレンズ群を移動させ、前記反射部材より物体側のレンズ群を収納することを特徴とするレンズ鏡胴。
【請求項５】
撮影状態では移動させず、非撮影状態への変化において移動させられるレンズ群は、前記反射部材より物体側に配置され移動可能となされたレンズ群鏡枠の外形内の位置に移動させられることを特徴とする請求項４に記載のレンズ鏡胴。
【請求項６】
請求項１〜５のいずれか１項に記載のレンズ鏡胴を備えたことを特徴とする撮像装置。
【発明の詳細な説明】
【技術分野】
【０００１】
本発明は、光学系内に反射部材が配置された屈曲光学系を内包し、特に、反射部材より物体側のレンズ群を沈胴させるよう構成されたレンズ鏡胴に関するものである。
【背景技術】
【０００２】
従来より、光学系中に反射面を配置し、光軸を折り曲げた所謂屈曲光学系を備えた撮像装置が知られている。反射部材より物体側に少数のレンズ群を固定配置した屈曲光学系を用いることで、複雑な沈胴機構を採用することなく容易に撮像装置を薄型化したものがある。
【０００３】
一方、撮像装置は、より高変倍の光学系の搭載が望まれており、反射部材より物体側に配置されるレンズ群を光軸方向に移動させるものが提案されている。このような、高変倍の屈曲光学系は、反射部材より物体側に配置されたレンズ群も構成枚数が多く、且つ撮影時には反射部材から離間するように光軸方向に移動させる必要があるものが多い。このため、非撮影時に撮像装置がコンパクトになるよう、反射部材及び該反射部材近傍のレンズ群を退避移動させ、反射部材より物体側に配置されたレンズ群を像面側に移動させるものが知られている（例えば、特許文献１参照）。
【特許文献１】特開２００７−１１４４４７号公報
【発明の開示】
【発明が解決しようとする課題】
【０００４】
しかしながら、上記特許文献１に記載の撮影レンズユニットは、いかにして反射部材等を退避移動させ、反射部材より物体側に配置されたレンズ群を沈胴させるか等の機構については記載がない。
【０００５】
本発明は、反射部材より物体側に配置されたレンズ群も光軸方向に移動可能に構成された屈曲光学系を内包したレンズ鏡胴であっても、簡便な機構で、非撮影時には薄型コンパクトとなるレンズ鏡胴を得、該レンズ鏡胴を備えることで薄型コンパクトな撮像装置を得ることを目的とするものである。
【課題を解決するための手段】
【０００６】
上記の目的は、下記構成により解決される。
【０００７】
１．複数のレンズ群と、該レンズ群を保持するレンズ群鏡枠と、前記レンズ群の間に配置され光軸を折り曲げる反射部材と、を有するレンズ鏡胴であって、前記反射部材より像面側に配置され、撮影時に移動させられるレンズ群鏡枠と、該レンズ群鏡枠が撮影時の移動領域を越えて移動する際に係合する係合部材と、前記反射部材より像面側に配置され、撮影時に移動させないレンズ群鏡枠と、を有し、撮影状態から非撮影状態への変化において、前記反射部材より像面側に配置され、撮影時に移動させられるレンズ群鏡枠が撮影時の移動領域を越えて移動させられる際に前記係合部材を回動させることにより撮影時に移動させないレンズ群及び前記反射部材を移動させ、前記反射部材より物体側のレンズ群を収納することを特徴とするレンズ鏡胴。
【０００８】
２．前記反射部材と撮影時に移動させないレンズ群を、共に撮像素子に近づく方向へ移動させることを特徴とする１に記載のレンズ鏡胴。
【０００９】
３．前記反射部材を前記撮像素子から遠ざかる方向へ移動させ、撮影時に移動させないレンズ群を撮像素子に近づく方向へ移動させることを特徴とする１に記載のレンズ鏡胴。
【００１０】
４．複数のレンズ群と、該レンズ群を保持するレンズ群鏡枠と、前記レンズ群の間に配置され光軸を折り曲げる反射部材と、を有するレンズ鏡胴であって、前記反射部材より像面側に配置され、撮影時に移動させられるレンズ群鏡枠と、前記反射部材より像面側に配置され、撮影時に移動させないレンズ群鏡枠と、を有し、撮影状態から非撮影状態への変化において、前記反射部材より像面側に配置され、撮影時に移動させられるレンズ群鏡枠が、撮影時の移動領域を越えて移動させられる際に、該レンズ群鏡枠の一部が撮影時に移動させないレンズ群鏡枠の一部と係合し、撮影時に移動させないレンズ群を移動させ、前記反射部材より物体側のレンズ群を収納することを特徴とするレンズ鏡胴。
【００１１】
５．撮影状態では移動させず、非撮影状態への変化において移動させられるレンズ群は、前記反射部材より物体側に配置され移動可能となされたレンズ群鏡枠の外形内の位置に移動させられることを特徴とする４に記載のレンズ鏡胴。
【００１２】
６．１〜５のいずれかに記載のレンズ鏡胴を備えたことを特徴とする撮像装置。
【発明の効果】
【００１３】
本発明によれば、反射部材の物体側に複数枚のレンズ群を有する屈曲光学系であっても、簡便な機構で、非撮影時には薄型コンパクトとなるレンズ鏡胴及び撮像装置を得ることが可能となる。
【発明を実施するための最良の形態】
【００１４】
以下、実施の形態により本発明を詳しく説明するが、本発明はこれに限定されるものではない。
【００１５】
図１は、本実施の形態に係るレンズ鏡胴を備えた撮像装置の一例であるカメラ１００の主要構成ユニットの内部配置の一例を示す斜視図である。
【００１６】
同図に示すように、カメラ１００は、変倍可能な折り曲げ撮像光学系を内包したレンズ鏡胴５０が図示の如く横長に配置されている。１１は最も物体側に配置された第１レンズである。なお第１レンズ１１を露呈する開状態と第１レンズ１１を覆った閉状態とするレンズバリア（不図示）が設けられていてもよい。
【００１７】
５２はフラッシュ発光窓であり、５３はフラッシュ発光窓の後方に配置された反射傘、キセノン管、その他メインコンデンサ、回路基板等で構成されるフラッシュユニットである。５５は電池であり、本カメラの各部へ電源を供給する。電池５５及び不図示の画像記録用メモリは、図示しない蓋部から挿脱が可能となっている。
【００１８】
本カメラの上面には、レリーズ釦５６が配置され、その１段の押し込みによりカメラの撮影準備動作、即ち焦点合わせ動作や測光動作が行われ、その２段の押し込みにより撮影露光動作が行われる。５７はメインスイッチであり、カメラを動作状態と非動作状態に切り替えるスイッチである。
【００１９】
本カメラの背面には、ＬＣＤ或いは有機ＥＬ等で構成され、画像やその他文字情報等を表示する画像表示部５８が配置されている。また、図示していないが、ズームアップ、ズームダウンをおこなうズーム釦、撮影した画像を再生する再生釦、画像表示部５８上に各種のメニューを表示させるメニュー釦、表示から所望の機能を選択する選択釦等の操作部材が配置されている。
【００２０】
また、不図示であるが、これら主要構成ユニットの間には、各部を接続すると共に、各種電子部品が搭載された回路基板が配置され、各主要構成ユニットの駆動及び制御を行うようになっている。同様に、不図示であるが、外部入出力端子、ストラップ取り付け部、三脚座等を備えている。
【００２１】
（第１の実施の形態）
図２は、レンズ鏡胴５０を示す図である。同図（ａ）はレンズ鏡胴５０の全体を示す外観斜視図であり、同図（ｂ）は撮影時のテレ端（望遠端）時の各レンズ群の概略位置を示す断面図であり、同図（ｃ）は撮影時におけるワイド端（広角端）時の各レンズ群の概略位置を示す断面図である。なお、同図（ｂ）、（ｃ）は、折り曲げ前及び折り曲げ後の光軸を含む面で切断した断面を示している。
【００２２】
同図に示すように、レンズ鏡胴５０には、物体側より第１レンズ群１１、第２レンズ群１２が配置されている。第１レンズ群１１を保持する第１レンズ群鏡枠１１ｋは円筒状に形成され、不図示のカムピンが第１レンズ群鏡枠１１ｋに植設されている。カムピンは、中間筒４３の直進案内溝を介し、カム筒４２の内筒面に形成された内カムに係合している。即ち、カム筒４２の回転で第１レンズ群鏡枠１１ｋ及び第１レンズ群１１は移動可能となっている。
【００２３】
また、カム筒４２は、モータ及びギアユニットで構成された第１駆動ユニット３１により回転させられ、不図示のカム筒４２に植設されたカムピンと固定胴４１に形成された内カムとの係合により、固定胴４１に対し相対移動可能となっている。
【００２４】
第２レンズ群１２の像面側には、反射部材であるプリズムＰが配置され、第１レンズ群１１及び第２レンズ群１２の光軸を略９０°折り曲げている。プリズムＰの像面側には第３レンズ群１３が配置されている。本例においては、プリズムＰ及び第３レンズ群１３は、一体的に第３レンズ群鏡枠１３ｋに保持されている。第３レンズ群鏡枠１３ｋには、ガイド軸１７が貫通嵌合するスリーブ部と、ガイド軸１６により回転規制される回転規制部が形成されており移動可能な構成が形成されているが、撮影時に移動させられることはない。
【００２５】
第３レンズ群１３の像面側には、第４レンズ群１４が配置されている。本例においては、第４レンズ群１４は、レンズ１４ａ〜１４ｄの４枚のレンズが、一体的に第４レンズ群鏡枠１４ｋに保持されている。この第４レンズ群鏡枠１４ｋにも、ガイド軸１６が貫通嵌合するスリーブ部と、ガイド軸１７により回転規制される回転規制部が形成され、ガイド軸１６、１７に沿って移動できるようになっている。更に、第４レンズ群鏡枠１４ｋは、撮影時のズーミング（変倍）時に、ステッピングモータ３２に連設された不図示のリードスクリューによって所定の位置に移動させられるようになっている。
【００２６】
第４レンズ群１４の像面側には、第５レンズ群１５が配置されている。第５レンズ群１５は、第５レンズ群鏡枠１５ｋに保持されている。この第５レンズ群鏡枠１５ｋにも、ガイド軸１６が貫通嵌合するスリーブ部と、ガイド軸１７により回転規制される回転規制部が形成され、ガイド軸１６、１７に沿って移動できるようになっている。更に、第５レンズ群鏡枠１５ｋは、撮影時のズーミング時及びフォーカシング時に、ステッピングモータ３３に連設された不図示のリードスクリューによって所定の位置に移動させられるようになっている。
【００２７】
ＯＦは、赤外光カットフィルタ及び光学的ローパスフィルタが積層された光学フィルタである。更に、不図示の撮像素子が光学フィルタＯＦの像面側に配置されるようになっている。
【００２８】
上記のレンズ鏡胴５０は、撮影状態から非撮影状態への変化において、撮影時に移動させないレンズ群鏡枠である第３レンズ群鏡枠１３ｋを移動させるように構成されている。
【００２９】
以下、第１の実施の形態に係るレンズ鏡胴の非撮影時における、反射部材であるプリズムＰ及び第３レンズ群１３の移動のさせ方について説明する。
【００３０】
図３は、第１の実施の形態に係るレンズ鏡胴の、プリズム及び第３レンズ群１３の移動のさせ方を示す模式図である。同図は図２（ｂ）又は図２（ｃ）に示すＢ方向から見た図である。同図（ａ）は、撮影時のうちのワイド端の状態を示し、同図（ｂ）は非撮影時の状態を示している。
【００３１】
なお、同図はプリズムＰと第３レンズ群１３を保持する第３レンズ群鏡枠１３ｋと、第４レンズ群鏡枠１４ｋと、第５レンズ群鏡枠１５ｋ、ガイド軸１６、１７と、係合部材２１を抜き出し、その動作を説明するための模式図である。
【００３２】
同図（ａ）に示すように、第３レンズ群鏡枠１３ｋの一部に形成されたピン１３ｐは、係合部材２１に形成された長溝２１ｎと係合している。係合部材２１は軸２１ｓを中心に回動可能となされており、引っ張りコイルバネ２５により図示左方向に付勢されている。また、第３レンズ群鏡枠１３ｋを所定の位置に係止させるストッパ２６が形成されており、このため第３レンズ群鏡枠１３ｋは同図（ａ）に示す位置に係止される。
【００３３】
また、第４レンズ群鏡枠１４ｋの一部に形成されたピン１４ｐは、係合部材２１の第３レンズ群鏡枠側の側端面に当接するようになっており、図示のワイド端状態では離間した状態となっている。この、ワイド端の状態から長焦点距離方向への変倍時には、第４レンズ群鏡枠１４ｋは、第３レンズ群鏡枠１３ｋ側に移動する。このため、ピン１４ｐはワイド端からテレ端までの撮影状態において、係合部材２１の側端面と接することがなく、第３レンズ群鏡枠１３ｋは停止したままの状態が維持される。
【００３４】
一方、第５レンズ群鏡枠１５ｋは、長焦点距離方向への変倍に際し、光学フィルタＯＦに近づく方向に移動し、さらにその位置の近傍を前後に微小に移動することでフォーカシングを行うようになっている。なお、不図示であるが、第４レンズ群鏡枠１４ｋはステッピングモータ３２、第５レンズ群鏡枠１５ｋはステッピングモータ３３により駆動されるようになっている（図２（ａ）参照）。
【００３５】
次に、同図（ａ）に示す撮影状態から、同図（ｂ）に示す非撮影状態への変化について、説明する。
【００３６】
非撮影状態への変化は、第４レンズ群鏡枠１４ｋ及び第５レンズ群鏡枠１５ｋを同図（ａ）に示すワイド端の状態から、光学フィルタＯＦの方向に移動させる。即ち、第４レンズ群鏡枠１４ｋは、撮影時の移動領域であるワイド端〜テレ端の領域を越えて移動させることになる。
【００３７】
第４レンズ群鏡枠１４ｋが光学フィルタＯＦの方向に移動すると、第４レンズ群鏡枠１４ｋに形成されたピン１４ｐが係合部材２１の側端面に当接し、第４レンズ群鏡枠１４ｋの移動に伴って、係合部材２１は図示時計回り方向に回動させられる。このため、係合部材２１の長溝２１ｎとピン１３ｐで係合する第３レンズ群鏡枠１３ｋは、係合部材２１の回動により、光学フィルタＯＦ方向に移動する。これにより、撮影時には移動しない第３レンズ群鏡枠１３ｋを移動させることができる。
【００３８】
なお、図示のように、軸２１ｓとピン１４ｐの当接位置との距離は、軸２１ｓとピン１３ｐとの距離よりも小さく設定されていることが好ましい。このように設定することで、第４レンズ群鏡枠１４ｋの少ない移動量で、第３レンズ群鏡枠１３ｋの移動量を大きくすることができる。
【００３９】
このようにすることで、同図（ｂ）に示すように、破線で示すカム筒４２の後方にあった第３レンズ群鏡枠１３ｋを、ガイド軸１５、１７に沿って大きく撮像素子方向に退避させることができる。
【００４０】
図４は、第１の実施の形態に係るレンズ鏡胴の、第３レンズ群鏡枠１３ｋを退避させた後、第１、第２レンズ群を収納させた状態を示す断面図である。
【００４１】
図示の如く、カム筒４２の後方にあった第３レンズ群鏡枠１３ｋは、大きく退避し、この退避した空間に、第２レンズ群１２、第２レンズ群鏡枠１２ｋ、カム筒４２、中間筒４３、第１レンズ群１１、第１レンズ群鏡枠１１ｋ、が収納される。
【００４２】
これにより、反射部材であるプリズムＰより物体側に配置された第１、第２レンズ群１１、１２も光軸方向に移動可能に構成された屈曲光学系を内包するレンズ鏡胴であっても、簡便な機構で、非撮影時には薄型コンパクトとすることが可能となる。
【００４３】
即ち、本例においては、反射部材より像面側に配置され、撮影時に移動させられるレンズ群鏡枠は第４レンズ群鏡枠１４ｋが相当し、反射部材より像面側に配置され、撮影時に移動させないレンズ群鏡枠は第３レンズ群鏡枠１３ｋが相当する。
【００４４】
（第２の実施の形態）
図５は、第２の実施の形態に係るレンズ鏡胴の、プリズム及び第３レンズ群の移動のさせ方の例を示す模式図である。同図は図２（ｂ）又は図２（ｃ）に示すＢ方向から見た図である。同図（ａ）は、撮影時のうちのワイド端の状態を示し、同図（ｂ）は非撮影時の状態を示している。
【００４５】
また、同図はプリズムＰを保持するプリズムホルダＰＨと、第３レンズ群を保持する第３レンズ群鏡枠１３ｋと、第４レンズ群鏡枠１４ｋと、第５レンズ群鏡枠１５ｋ、ガイド軸１６、１７と、係合部材２１を抜き出し、その動作を説明するための模式図である。
【００４６】
なお、第２の実施の形態においては、プリズムＰは第３レンズ群鏡枠１３ｋではなくプリズムホルダＰＨに保持されており、プリズムホルダＰＨ及び第３レンズ群鏡枠１３ｋには、それぞれガイド軸１７が貫通嵌合するスリーブ部と、ガイド軸１６により回転規制される回転規制部が形成されており移動可能な構成が形成されているが、撮影時に移動させられることはない。
【００４７】
図５に示すレンズ鏡胴には、半円形状の係合板６１が設けられ、軸６１ｓを中心に回動可能となされている。
【００４８】
同図（ａ）に示す撮影状態では、係合板６１に掛けられた引っ張りコイルバネ６２により反時計回り方向に付勢され、係合板６１は、ストッパ６４に当接した状態となる。
【００４９】
プリズムホルダＰＨの一部に一体的に形成されたピンＰＨｐは、係合板６１に形成されたスリット６１ｔで係合している。また、第３レンズ群鏡枠１３ｋの一部に一体的に形成されたピン１３ｐは、係合板６１の半径方向の側端面に係合している。この第３レンズ群鏡枠１３ｋは、引っ張りコイルバネ６３により光学フィルタＯＦ方向に付勢されている。
【００５０】
第４レンズ群鏡枠１４ｋの一部に一体的に形成されたピン１４ｐは、係合部材６１の半径方向の側端面に当接するようになっており、図示のワイド端状態では離間した状態となっている。この、ワイド端の状態から長焦点距離方向への変倍時には、第４レンズ群鏡枠１４ｋは、第３レンズ群鏡枠１３ｋ側に移動する。このため、ピン１４ｐはワイド端からテレ端までの撮影状態において、係合部材６１の半径方向の側端面と当接することがなく、プリズムホルダＰＨ及び第３レンズ群鏡枠１３ｋは停止したままの状態が維持される。
【００５１】
一方、第５レンズ群鏡枠１５ｋは、長焦点距離方向への変倍に際し、光学フィルタＯＦに近づく方向に移動し、さらにその位置の近傍を前後に微小に移動することでフォーカシングを行うようになっている。なお、不図示であるが、第４レンズ群鏡枠１４ｋはステッピングモータ３２、第５レンズ群鏡枠１５ｋはステッピングモータ３３により駆動されるようになっている（図２（ａ）参照）。
【００５２】
次に、同図（ａ）に示す撮影状態から、同図（ｂ）に示す非撮影状態への変化について、説明する。
【００５３】
非撮影状態への変化は、第４レンズ群鏡枠１４ｋ及び第５レンズ群鏡枠１５ｋを同図（ａ）に示すワイド端の状態から、光学フィルタＯＦの方向に移動させる。即ち、第４レンズ群鏡枠１４ｋは、撮影時の移動領域であるワイド端〜テレ端の領域を越えて移動させることになる。
【００５４】
第４レンズ群鏡枠１４ｋが光学フィルタＯＦの方向に移動すると、第４レンズ群鏡枠１４ｋに形成されたピン１４ｐが係合部材６１の半径方向側端面に当接し、第４レンズ群鏡枠１４ｋの移動に伴って、係合部材２６は図示時計回り方向に回動させられる。このため、係合部材６１のスリット６１ｔとピン１３ｐで係合するプリズムホルダＰＨは、光学フィルタＯＦから遠ざかる方向に移動させられ、第３レンズ群鏡枠１３ｋはコイルバネ６３の付勢力で光学フィルタＯＦ方向に移動させられる。これにより、撮影時には移動しないプリズムＰ及び第３レンズ群鏡枠１３ｋをそれぞれ異なる方向に移動させることができる。
【００５５】
図６は、第２の実施の形態に係るレンズ鏡胴の、プリズムホルダＰＨ及び第３レンズ群鏡枠１３ｋをそれぞれ異なる方向に退避させた後、第１、第２レンズ群を収納した状態を示す断面図である。
【００５６】
図示の如く、カム筒４２の後方にあったプリズムホルダＰＨ及び第３レンズ群鏡枠１３ｋは、それぞれ異なる方向に退避し、この退避した空間に、第２レンズ群１２、第２レンズ群鏡枠１２ｋ、カム筒４２、中間筒４３、第１レンズ群１１、第１レンズ群鏡枠１１ｋ、が収納される。
【００５７】
これにより、反射部材であるプリズムＰより物体側に配置された第１、第２レンズ群１１、１２も光軸方向に移動可能に構成された屈曲光学系を内包するレンズ鏡胴であっても、簡便な機構で、非撮影時には薄型コンパクトとすることが可能となる。
【００５８】
即ち、本例においても、反射部材より像面側に配置され、撮影時に移動させられるレンズ群鏡枠は第４レンズ群鏡枠１４ｋが相当し、反射部材より像面側に配置され、撮影時に移動させないレンズ群鏡枠は第３レンズ群鏡枠１３ｋが相当する。
【００５９】
（第３の実施の形態）
図７は、第３の実施の形態に係るレンズ鏡胴の、プリズム及び第３レンズ群の移動のさせ方の例を示す斜視図である。同図は、プリズムＰ、第３レンズ群鏡枠１３ｋ、第４レンズ群鏡枠１４ｋ、第５レンズ群鏡枠１５ｋ、光学フィルタＯＦ、ガイド軸１６、１７を抜き出して図示したものであり、撮影時のうちのワイド端の状態を示している。
【００６０】
同図に示すように、プリズムＰは軸Ｐｊによって軸止されており、軸Ｐｊを軸にして回動が可能となっている。また、不図示のバネ及びストッパにより撮影時のプリズムＰの反射面は、所定の角度が維持されるようになっている。
【００６１】
更に、図示の如く、第３レンズ群鏡枠１３ｋには、コの字状部１３ｇが形成されており、コの字状部１３ｇの両端に形成された穴がガイド軸１７と嵌合している。第４レンズ群鏡枠１４ｋの回転係止部１４ｎは、第３レンズ群鏡枠１３ｋのコの字状部１３ｇの間に位置して設けられている。なお、第３レンズ群鏡枠１３ｋは不図示の付勢部材によりプリズムＰ方向に付勢されており、不図示のストッパにより所定の位置を維持するようになっている。
【００６２】
この、ワイド端の状態から長焦点距離方向への変倍時には、第４レンズ群鏡枠１４ｋは、第３レンズ群鏡枠１３ｋ側に移動する。このため、回転係止部１４ｎはワイド端からテレ端までの撮影状態において、コの字状部１３ｇの両端間で移動するためコの字状部１３ｇの両端と当接することがなく、第３レンズ群鏡枠１３ｋは停止したままの状態が維持される。
【００６３】
一方、第５レンズ群鏡枠１５ｋは、長焦点距離方向への変倍に際し、光学フィルタＯＦに近づく方向に移動し、さらにその位置の近傍を前後に微小に移動することでフォーカシングを行うようになっている。なお、不図示であるが、第４レンズ群鏡枠１４ｋはステッピングモータ３２、第５レンズ群鏡枠１５ｋはステッピングモータ３３により駆動されるようになっている（図２（ａ）参照）。
【００６４】
次に、同図に示す撮影状態から、非撮影状態への変化について、説明する。
【００６５】
非撮影状態への変化は、第４レンズ群鏡枠１４ｋ及び第５レンズ群鏡枠１５ｋを同図に示すワイド端の状態から、光学フィルタＯＦの方向に移動させる。即ち、第４レンズ群鏡枠１４ｋは、撮影時の移動領域であるワイド端〜テレ端の領域を越えて移動させることになる。
【００６６】
第４レンズ群鏡枠１４ｋが光学フィルタＯＦの方向に移動すると、第４レンズ群鏡枠１４ｋに形成された回転係止部１４ｎがコの字状部１３ｇの光学フィルタＯＦ側の端面内面に当接する。更に、第４レンズ群鏡枠１４ｋが光学フィルタＯＦ側に移動すると、第３レンズ群鏡枠１３ｋは不図示の付勢部材に抗して、光学フィルタＯＦ方向に移動させられる。これにより、撮影時には移動しない第３レンズ群鏡枠１３ｋは光学フィルタＯＦ方向に移動させられる。
【００６７】
図８は、第３の実施の形態に係るレンズ鏡胴の、第３レンズ群鏡枠１３ｋを移動させた後、第１、第２レンズ群を収納した状態を示す断面図である。
【００６８】
図示の如く、第３レンズ群鏡枠１３ｋは、第１レンズ群鏡枠１１ｋの外形内の位置に移動させられた後、第２レンズ群１２、第２レンズ群鏡枠１２ｋ、カム筒４２、中間筒４３、第１レンズ群１１、第１レンズ群鏡枠１１ｋ、が収納される。このとき、プリズムＰは第１レンズ群鏡枠１１ｋ、第２レンズ群鏡枠１２ｋ、カム筒４２、中間筒４３の何れかが当接して軸Ｐｊを軸に、図示の如く回動させられる。
【００６９】
これにより、反射部材であるプリズムＰより物体側に配置された第１、第２レンズ群１１、１２も光軸方向に移動可能に構成された屈曲光学系を内包するレンズ鏡胴であっても、簡便な機構で、非撮影時には薄型コンパクトとすることが可能となる。
【００７０】
即ち、本例においても、反射部材より像面側に配置され、撮影時に移動させられるレンズ群鏡枠は第４レンズ群鏡枠１４ｋが相当し、反射部材より像面側に配置され、撮影時に移動させないレンズ群鏡枠は第３レンズ群鏡枠１３ｋが相当する。
【００７１】
なお、本発明は種々の変形が可能であり、上記に示すレンズ群の配置に限るものでないのは勿論である。
【図面の簡単な説明】
【００７２】
【図１】本実施の形態に係るレンズ鏡胴を備えた撮像装置の一例であるカメラの主要構成ユニットの内部配置の一例を示す斜視図である。
【図２】レンズ鏡胴を示す図である。
【図３】第１の実施の形態に係るレンズ鏡胴の、プリズム及び第３レンズ群の移動のさせ方を示す模式図である。
【図４】第１の実施の形態に係るレンズ鏡胴の、第３レンズ群鏡枠１３ｋを退避させた後、第１、第２レンズ群を収納させた状態を示す断面図である。
【図５】第２の実施の形態に係るレンズ鏡胴の、プリズム及び第３レンズ群の移動のさせ方の例を示す模式図である。
【図６】第２の実施の形態に係るレンズ鏡胴の、プリズムホルダ及び第３レンズ群鏡枠をそれぞれ異なる方向に退避させた後、第１、第２レンズ群を収納した状態を示す断面図である。
【図７】第３の実施の形態に係るレンズ鏡胴の、プリズム及び第３レンズ群の移動のさせ方の例を示す斜視図である。
【図８】第３の実施の形態に係るレンズ鏡胴の、第３レンズ群鏡枠を移動させた後、第１、第２レンズ群を収納した状態を示す断面図である。
【符号の説明】
【００７３】
１１  第１レンズ群
１１ｋ  第１レンズ群鏡枠
１２  第２レンズ群
１２ｋ  第２レンズ群鏡枠
１３  第３レンズ群
１３ｋ  第３レンズ群鏡枠
１４  第４レンズ群
１４ｋ  第４レンズ群鏡枠
１５  第５レンズ群
１５ｋ  第５レンズ群鏡枠
１６、１７  ガイド軸
２１、６１  係合部材
４１  固定胴
４２  カム筒
４３  中間筒
５０  レンズ鏡胴
ＯＦ  光学フィルタ
Ｐ  プリズム
ＰＨ  プリズムホルダ
１００  カメラ
【図１】
2009169243.tif 000003
【図２】
2009169243.tif 000004
【図３】
2009169243.tif 000005
【図４】
2009169243.tif 000006
【図５】
2009169243.tif 000007
【図６】
2009169243.tif 000008
【図７】
2009169243.tif 000009
【図８】
2009169243.tif 000010